(57)【要約】【課題】子機側が省エネモードに入っている場合に、子機側を自動復帰させることにより、子機側の連結Ｉ／Ｆ制御部の電源をＯＦＦさせてもユーザーの操作性を損なわせることなく、且つ十分な省エネ効果を得ることができる画像形成システムを提供すること。【解決手段】子機側では、ネットワークＩ／Ｆ８２上から発行されてきたＩＤを受信し(Ｓ３０）、子機側の不揮発性メモリに格納されている子機側のＩＤと照合し、(Ｓ３１）。子機側のＩＤであれば、子機側復帰処理が開始され(Ｓ３２）、復帰可能かどうかを判断し(Ｓ３３）、可能であれば、親機側との連結Ｉ／Ｆ通信が開始される(Ｓ３４）。一方、一定時間経過しても子機側で復帰できない場合には(Ｓ３３；Ｎ、Ｓ３５；Ｙ）、子機側の画像形成装置に何らかの異常が発生している旨を操作部上に表示させると共に、ネットワークＩ／Ｆを介して親機側に復帰不可の通知を行う(Ｓ３６）。【選択図】    図８
2010010942.tif 000002
【特許請求の範囲】
【請求項１】
エンジン制御部とコントローラ部のうちエンジン制御部への通電をＯＦＦし、且つコントローラ部の一部の電源以外はＯＦＦさせている状態で、ネットワークを経由して接続される機器とのデータの送受信が可能な省エネモードであるオフモードを備えた画像形成装置を複数連動させて画像形成を行う画像形成システムであって、
複数の画像形成装置が、互いに接続された状態で連結動作をさせる連結Ｉ／Ｆ（インターフェイス）制御部と、
任意の一台が親機となり、読み取った画像データを子機となる他の画像形成装置に対して、前記連結Ｉ／Ｆ制御部により画像転送し、連結動作を行い親機と子機が画像形成を並列に行う並列処理手段と、
省エネモードであるオフモードに移行時に、前記連結Ｉ／Ｆ制御部の電源をＯＦＦさせる連結Ｉ／Ｆ制御部ＯＦＦ手段と、
子機側がオフモード中の場合に親機側で連結Ｉ／Ｆ制御部を介して連結操作を行う際、ネットワーク経由で親機側から子機側のコントローラ部に対して復帰処理を行わせる復帰処理手段と、を備えたことを特徴とする画像形成システム。
【請求項２】
前記連結Ｉ／Ｆ制御部にＢｕｓＰｏｗｅｒを検出するＢｕｓＰｏｗｅｒ検出部を備え、
前記ＢｕｓＰｏｗｅｒ検出部により、ＢｕｓＰｏｗｅｒを検出した際、前記復帰処理手段は、親機からのＢｕｓＰｏｗｅｒ電源供給開始により子機側を復帰させることを特徴とする請求項１記載の画像形成システム。
【請求項３】
前記連結Ｉ／Ｆが、ＩＥＥＥ１３９４Ｉ／Ｆで構成されていることを特徴とする請求項２記載の画像形成システム。
【請求項４】
前記連結Ｉ／Ｆが、ＵＳＢＩ／Ｆで構成されていることを特徴とする請求項２記載の画像形成システム。
【請求項５】
ＢｕｓＰｏｗｅｒ電源を制御するＢｕｓＰｏｗｅｒ電源制御手段を備え、
親機側がオフモードに移行する際に、前記ＢｕｓＰｏｗｅｒ電源制御手段が、ネットワーク経由で親機側から子機側に対して、子機側の連結Ｉ／Ｆ制御部のＢｕｓＰｏｗｅｒ電源供給をＯＦＦさせることを特徴とする請求項１記載の画像形成システム。
【請求項６】
親機又は子機側がオフモード時に移行する際に、子機側の画像形成装置の連結Ｉ／Ｆ制御部の電源をＯＦＦすることを特徴とする請求項１記載の画像形成システム。
【請求項７】
前記連結Ｉ／Ｆ制御部により画像転送し、前記並列処理手段により親機と子機が画像形成を並列に行う際、連結操作を行えるユーザーかどうか判断するユーザー認証手段を備えたことを特徴とする請求項１から請求項６のいずれか１項に記載の画像形成システム。
【請求項８】
エンジン制御部とコントローラ部のうちエンジン制御部への通電をＯＦＦし、且つコントローラ部の一部の電源以外はＯＦＦさせている状態で、ネットワークを経由して接続される機器とのデータの送受信が可能な省エネモードであるオフモードを備えた画像形成装置を複数連動させて画像形成を行い、
複数の画像形成装置が、互いに接続された状態で連結動作をさせる連結Ｉ／Ｆ（インターフェイス）制御部と、
任意の一台が親機となり、読み取った画像データを子機となる他の画像形成装置に対して、前記連結Ｉ／Ｆ制御部により画像転送し、連結動作を行い親機と子機が画像形成を並列に行う並列処理手段と、を備えた画像形成システムであって、
省エネモードであるオフモードに移行時に、前記連結Ｉ／Ｆ制御部の電源をＯＦＦさせる第１のステップと、
第１のステップで前記連結Ｉ／Ｆ制御部の電源をＯＦＦさせた後、子機側がオフモード中の場合に親機側で連結Ｉ／Ｆ制御部を介して連結操作を行う第２のステップと、
第２のステップで連結Ｉ／Ｆ制御部を介して連結操作を行う際、ネットワーク経由で親機側から子機側のコントローラ部に対して復帰処理を行わせる第３のステップとからなることを特徴とする画像形成方法。
【発明の詳細な説明】
【技術分野】
【０００１】
本発明は、連結動作をさせる連結Ｉ／Ｆ（インターフェイス）を備えた画像形成システムにおける省エネ制御に関する。
【背景技術】
【０００２】
近年、ネットワークを介して複数の画像形成装置を接続して、効率的に連結ジョブを行うことが広く普及してきている。この連結ジョブとは、複数の画像形成装置を連結し、一方を親機、残りを子機とし、親機で行うジョブを並列して子機でも行い、短時間で多量の処理を行う方法である。
また、画像形成装置は、長時間通電状態を続けて使用される場合が多く、電力消費を抑制することが常に要求されている。そのため、通常、消費電力を抑制するための省エネモードが設けられている。
【特許文献１】特開２００５−７４６７８
【０００３】
特許文献１には、連結ジョブ後の子機の省エネモード復帰動作で消費する電力を抑制することができる画像形成装置が提案されている。
【発明の開示】
【発明が解決しようとする課題】
【０００４】
ところで、複数の画像形成装置を連結するのに、画像形成装置同士を接続させる連結Ｉ／Ｆ（インターフェイス）で構成されている場合、子機側の連結Ｉ／Ｆ制御部が省エネ（電源ＯＦＦ）状態に移行して、子機側の連結Ｉ／Ｆ制御部の電源がＯＦＦしてしまうと、子機側の連結Ｉ／Ｆ通信回路が遮断されているため、親機側から連結Ｉ／Ｆの通信信号によって復帰要求を行っても子機側が応答できず自動復帰ができなくなる。このため、ユーザーが省エネ状態にある子機側まで行って子機側を操作部上の電源キー押下で復帰させた後に、親機側に戻って所望の動作をしなければいけないといった煩わしさがあった。
ユーザーの操作性を考慮すると、親機側及び子機側の連結Ｉ／Ｆ制御部を常に通電しておく必要性があった。そのため、連結Ｉ／Ｆ制御部を制御しているコントローラ部全体の電源もＯＮしておく必要があり、エンジン制御部電源はＯＦＦしてはいるがコントローラ部電源はＯＮした状態で十分な省エネ効果が得られていなかった。
そこで、本発明の目的は、子機側が省エネモードに入っている場合に、子機側を自動復帰させることにより、子機側の連結Ｉ／Ｆ制御部の電源をＯＦＦさせてもユーザーの操作性を損なわせることなく、且つ十分な省エネ効果を得ることができる画像形成システムおよび画像形成方法を提供することである。
【課題を解決するための手段】
【０００５】
請求項１記載の発明では、エンジン制御部とコントローラ部のうちエンジン制御部への通電をＯＦＦし、且つコントローラ部の一部の電源以外はＯＦＦさせている状態で、ネットワークを経由して接続される機器とのデータの送受信が可能な省エネモードであるオフモードを備えた画像形成装置を複数連動させて画像形成を行う画像形成システムであって、複数の画像形成装置が、互いに接続された状態で連結動作をさせる連結Ｉ／Ｆ（インターフェイス）制御部と、任意の一台が親機となり、読み取った画像データを子機となる他の画像形成装置に対して、前記連結Ｉ／Ｆ制御部により画像転送し、連結動作を行い親機と子機が画像形成を並列に行う並列処理手段と、省エネモードであるオフモードに移行時に、前記連結Ｉ／Ｆ制御部の電源をＯＦＦさせる連結Ｉ／Ｆ制御部ＯＦＦ手段と、子機側がオフモード中の場合に親機側で連結Ｉ／Ｆ制御部を介して連結操作を行う際、ネットワーク経由で親機側から子機側のコントローラ部に対して復帰処理を行わせる復帰処理手段と、を備えたことにより、前記目的を達成する。
請求項２記載の発明では、請求項１記載の発明において、前記連結Ｉ／Ｆ制御部にＢｕｓＰｏｗｅｒを検出するＢｕｓＰｏｗｅｒ検出部を備え、前記ＢｕｓＰｏｗｅｒ検出部により、ＢｕｓＰｏｗｅｒを検出した際、前記復帰処理手段は、親機からのＢｕｓＰｏｗｅｒ電源供給開始により子機側を復帰させることを特徴とする。
請求項３記載の発明では、請求項２記載の発明において、前記連結Ｉ／Ｆが、ＩＥＥＥ１３９４Ｉ／Ｆで構成されていることを特徴とする。
請求項４記載の発明では、請求項２記載の発明において、前記連結Ｉ／Ｆが、ＵＳＢＩ／Ｆで構成されていることを特徴とする。
請求項５記載の発明では、請求項１記載の発明において、ＢｕｓＰｏｗｅｒ電源を制御するＢｕｓＰｏｗｅｒ電源制御手段を備え、親機側がオフモードに移行する際に、前記ＢｕｓＰｏｗｅｒ電源制御手段が、ネットワーク経由で親機側から子機側に対して、子機側の連結Ｉ／Ｆ制御部のＢｕｓＰｏｗｅｒ電源供給をＯＦＦさせることを特徴とする。
請求項６記載の発明では、請求項１記載の発明において、親機又は子機側がオフモード時に移行する際に、子機側の画像形成装置の連結Ｉ／Ｆ制御部の電源をＯＦＦすることを特徴とする。
請求項７記載の発明では、請求項１から請求項６のいずれか１項に記載の発明において、前記連結Ｉ／Ｆ制御部により画像転送し、前記並列処理手段により親機と子機が画像形成を並列に行う際、連結操作を行えるユーザーかどうか判断するユーザー認証手段を備えたことを特徴とする。
請求項８記載の発明では、エンジン制御部とコントローラ部のうちエンジン制御部への通電をＯＦＦし、且つコントローラ部の一部の電源以外はＯＦＦさせている状態で、ネットワークを経由して接続される機器とのデータの送受信が可能な省エネモードであるオフモードを備えた画像形成装置を複数連動させて画像形成を行い、複数の画像形成装置が、互いに接続された状態で連結動作をさせる連結Ｉ／Ｆ（インターフェイス）制御部と、任意の一台が親機となり、読み取った画像データを子機となる他の画像形成装置に対して、前記連結Ｉ／Ｆ制御部により画像転送し、連結動作を行い親機と子機が画像形成を並列に行う並列処理手段と、を備えた画像形成システムであって、省エネモードであるオフモードに移行時に、前記連結Ｉ／Ｆ制御部の電源をＯＦＦさせる第１のステップと、第１のステップで前記連結Ｉ／Ｆ制御部の電源をＯＦＦさせた後、子機側がオフモード中の場合に親機側で連結Ｉ／Ｆ制御部を介して連結操作を行う第２のステップと、第２のステップで連結Ｉ／Ｆ制御部を介して連結操作を行う際、ネットワーク経由で親機側から子機側のコントローラ部に対して復帰処理を行わせる第３のステップとからなることを特徴とする。
【発明の効果】
【０００６】
請求項１および請求項８記載の発明では、子機側が省エネモードに入っている場合に子機側を自動復帰させることにより、子機側の連結Ｉ／Ｆ制御部の電源をＯＦＦさせてもユーザーの操作性を損なわせることなく従来以上の省エネ効果を図ることができる。
請求項２記載の発明では、連結Ｉ／Ｆ制御部にＢＵＳＰＯＷＥＲ検出部を備えることで、親機が省エネモードから復帰する際に親機から子機へのＢＵＳＰＯＷＥＲ供給開始により子機側が省エネモードに入っている場合に子機側を自動復帰させることにより、子機側の連結Ｉ／Ｆ制御部の電源をＯＦＦさせてもユーザーの操作性を損なわせることなく従来以上の省エネ効果を図ることができる。
請求項３記載の発明では、ＩＥＥＥ１３９４Ｉ／Ｆ制御部にＢＵＳＰＯＷＥＲ検出部を備えることで、親機が省エネモードから復帰する際に親機から子機へのＢＵＳＰＯＷＥＲ供給開始により子機側が省エネモードに入っている場合に、子機側を自動復帰させることにより、子機側のＩＥＥＥ１３９４Ｉ／Ｆ制御部の電源をＯＦＦさせてもユーザーの操作性を損なわせることなく従来以上の省エネ効果を図ることができる。
請求項４記載の発明では、ＵＳＢＩ／Ｆ制御部にＢＵＳＰＯＷＥＲ検出部を備えることで、親機が省エネモードから復帰する際に親機から子機へのＢＵＳＰＯＷＥＲ供給開始により子機側が省エネモードに入っている場合に子機側を自動復帰させることにより、子機側のＵＳＢＩ／Ｆ制御部の電源をＯＦＦさせてもユーザーの操作性を損なわせることなく従来以上の省エネ効果を図ることができる。
請求項５記載の発明では、親機側がオフモード時に移行した時点で連結Ｉ／Ｆを介した子機側との通信及びＨＵＢへＢＵＳＰＯＷＥＲ供給が不要なので、子機側からＨＵＢへのＢＵＳＰＯＷＥＲ供給をＯＦＦさせることでＨＵＢ内部の回路をＯＦＦさせ消費電力を節約することができる。
請求項６記載の発明では、親機側がオフモード時に移行した時点で連結Ｉ／Ｆを介した子機側との通信は不要なので、親機側がオフモード時に移行した際に子機側の連結Ｉ／Ｆ制御部の電源もＯＦＦさせることで消費電力を節約することができる。
請求項７記載の発明では、連結操作権限のないユーザーが、連結キー押下によって画像形成装置がオフモード状態から復帰してしまうと、復帰動作による無駄な電力が消費されるので、連結キー押下によって連結操作権限のあるユーザーかどうかを判断させて、連結操作権限のないユーザーの操作でオフモード状態から不要な復帰動作することを抑制し、無駄な消費電力を節約することができる。
【発明を実施するための最良の形態】
【０００７】
以下、本発明の好適な実施の形態を図１ないし図１０を参照して、詳細に説明する。
図１は、本実施例に係る画像形成装置が外部機器と接続された構成を示した図であり、図２はエンジンＯＦＦモードの電源供給状態、図３ではオフモードの電源供給状態を示したブロック図である。
図１に示すように、本実施例に係る画像形成装置１０は、ネットワーク網２０を介して、サーバー３０およびＰＣ(パーソナルコンピュータ）４０と接続されている。
【０００８】
図２に示すように、エンジン制御部５０は、原稿画像を読み取るスキャナー制御部５２と、スキャナー制御部５２で読み取った画像を印字したり、コントローラ制御部６０から転送される画像データを印字するプロッター制御部５４と、印字用紙を給紙したり、印字された用紙を排出する周辺機制御部５６から構成されている。また、この画像形成装置１０は、エンジン制御部５０やコントローラ制御部６０を含む本装置の電源供給制御を行うＰＳＵ部８０を備えている。
コントローラ制御部６０は、ＣＰＵ（中央演算処理装置）６２、ＲＡＭ（ランダム・アクセス・メモリ）６６との通信を制御するＲＡＭ制御部６４、省エネ制御やＩ／Ｏ（インプット／アウトプット）制御を行う省エネＩ／Ｏ制御部６８等の主要デバイスで構成されている。
【０００９】
ＣＰＵ６２は、本コントローラ制御部６０のメインシステムを制御する。省エネＩ／Ｏ制御部６８ではサブＣＰＵ７０を内蔵しており、不揮発性メモリ７２やＦｌａｓｈＲｏｍ（メイン）７４やＦｌａｓｈＲｏｍ（サブ）７６やＥＥＰＲＯＭ７８等のメモリ制御、ＳＤ  ＣＡＲＤ  Ｉ／Ｆ８０やネットワークＩ／Ｆ８２の制御の他、省エネ制御も行なう。
また、省エネＩ／Ｏ制御部６８は操作部９０との通信制御やエンジン制御部５０の省エネ制御を行う機能も有する。ＥＥＰＲＯＭ７８ではネットワーク用のＭＡＣアドレスを格納、不揮発性メモリ７２では親機のマシンステータス情報やユーザーＩＤや他のマシンＩＤなどの情報が格納される。
【００１０】
ＳＤ  ＣＡＲＤ  Ｉ／Ｆ８０経由で装着されるＳＤ  ＣＡＲＤは、本コントローラ制御部６０の各プログラムが格納されているＦｌａｓｈＲｏｍ（メイン）７４やＦｌａｓｈＲｏｍ（サブ）７６へのプログラムのダウンロードやバージョンアップの手段として用いられたり、各アプリケーションソフトやエミュレーションソフトの媒体として用いられる。
【００１１】
本画像形成装置１０では、本画像形成装置１０の状態により、段階的に、エネルギー消費を抑制する省エネモードに移行するようになっている。この省エネモードとして、スタンバイモード、エンジンＯＦＦモード、オフモードを有している。
スタンバイモードは、エンジン制御部５０、コントローラ制御部６０共に電源が全てＯＮされている状態で、直ぐに各動作（コピー動作、スキャナー動作、プリント動作）が可能なモードである。
エンジンＯＦＦモードは、エンジン制御部５０の電源がＯＦＦ、コントローラ制御部６０の電源がＯＮされている状態で、本装置と外部機器との間でステータス状態通知などのやりとりが行えるモードである。
オフモードは、エンジン制御部５０の電源がＯＦＦでコントローラ制御部６０の一部の電源以外はＯＦＦさせている状態で、ネットワークＩ／Ｆ８２を経由して接続される外部機器からの通信やプリント要求を受け付けられる低電力モードである。
エンジンＯＦＦモードからオフモードに移行する前には、オフモードからエンジンＯＦＦモードに復帰時、コントローラ制御部６０内の各制御部で必要なレジスタ値を保存して、オフモードに移行する。オフモードからエンジンＯＦＦモードに復帰する際には、前記、コントローラ制御部６０内の各制御部に設定されたレジスタ値によって復帰処理が行われるようになっている。
【００１２】
図３に示すように、親機がオフモードに移行するために連結Ｉ／Ｆ制御部８４と画像処理制御部８６にリセットをかけて内部バスＩ／Ｆ上の通信線をＨｉｚ状態（ハイインピーダンス状態）にした後、省エネ信号１によって連結Ｉ／Ｆ制御部８４内の電源生成部から電源供給をＯＦＦすると共に省エネ信号２によってＢＵＳＰＯＷＥＲ生成部からの電源供給をＯＦＦする。
ＢＵＳＰＯＷＥＲ生成部からの電源供給をＯＦＦされたことで連結Ｉ／Ｆ８８上に供給する親機からのＢＵＳＰＯＷＥＲもＯＦＦされる。また、ＢＵＳＰＯＷＥＲ検出部からの復帰信号が制御される。このように、連結Ｉ／Ｆ制御部８４が電源ＯＦＦ状態になると共にコントローラ制御部６０ではオフモードに移行するための処理が行われ、サブＣＰＵ７０やＲＡＭ６６、省エネＩ／Ｏ制御部６８、ネットワーク制御部、不揮発性メモリ等の一部のデバイスにのみ電源が供給されたオフモード状態に移行する。
【００１３】
以下、本実施例に係る省エネ管理手段について説明する。
図４は、親機側と子機側の連結Ｉ／Ｆ制御部の構成を示した図であり、図７は、親機側の処理手順を示したフローチャートであり、図８は、子機側の処理手順を示したフローチャートである。
親機がオフモード状態中に連結動作をさせようと操作部上の連結キーを押下すると(ステップ１０）、親機と子機のアクセス権限を確認し、操作部上にユーザーＩＤ入力指示を行う(ステップ１１）。そして、ユーザーＩＤの照合を行い、アクセス権限有りか否かを判断する(ステップ１２）。アクセス権限有りの場合(ステップ１２；Ｙ）、親機側の復帰処理を行う(ステップ１３）。一方、アクセス権限無しの場合(ステップ１２；Ｎ）、操作部上にアクセス権限なしの表示を行う(ステップ１４）。
その後、親機側の復帰処理が開始され復帰可能かどうかを判断し(ステップ１５）、復帰可能であれば(ステップ１５；Ｙ）、予め親機と連結で接続されている子機側のマシンＩＤを不揮発性メモリから呼び出して、ネットワークＩ／Ｆ上に子機側のマシンＩＤを発行して(ステップ１６）、対象となるマシンＩＤを持った画像形成装置に復帰要求を通知する(ステップ１７）。
一定時間経過後も親機側の復帰が不可の場合(ステップ１５；Ｎ、ステップ１９；Ｙ）、親機側の画像形成装置に何らかの異常が発生されている旨を操作部上に表示させ、ユーザーに知らせる(ステップ２０）。
【００１４】
次に、子機側での復帰処理が開始されると(ステップ１８）、子機側から子機側の復帰可能通知の返答を待ち(ステップ２１）、一定時間経過しても復帰可能通知の返答がない場合には(ステップ２１；Ｎ、ステップ２３；Ｙ）、子機側の画像形成装置に何らかの異常が発生又は本体電源がＯＦＦされている旨を操作部上に表示させ、ユーザーに知らせる(ステップ２４）。子機側の復帰可能通知がＯＫな場合(ステップ２１；Ｙ）、子機側の画像形成装置が省エネモードからの復帰処理を行い子機側の復帰処理が完了し、子機側との連結Ｉ／Ｆ通信が開始され、次の連結キー操作を受け付けて所望の動作が開始される(ステップ２２）。
【００１５】
一方、図８に示すように、子機側では、ネットワークＩ／Ｆ８２上から発行されてきたマシンＩＤを受信し(ステップ３０）、子機側の不揮発性メモリに格納されている子機側のマシンＩＤと照合する(ステップ３１）。子機側のマシンＩＤであれば(ステップ３１；Ｙ）、子機側復帰処理が開始され(ステップ３２）、復帰可能かどうかを判断し(ステップ３３）、復帰可能であれば(ステップ３３；Ｙ）、親機側との連結Ｉ／Ｆ通信が開始される(ステップ３４）。
一方、一定時間経過しても子機側で復帰できない場合には(ステップ３３；Ｎ、ステップ３５；Ｙ）、子機側の画像形成装置に何らかの異常が発生している旨を操作部上に表示させると共に、ネットワークＩ／Ｆを介して親機側に復帰不可の通知を行う(ステップ３６）。
【００１６】
次に、親機側の連結Ｉ／Ｆ制御部の省エネ移行処理について説明する。
親機の移行処理が始まると省エネＩ／Ｏ制御部６８からの省エネ信号１と省エネ信号２が制御される。
省エネ信号１により連結Ｉ／Ｆ制御部回路を構成している電源生成部からの電源供給をＯＦＦさせると、同時に省エネ信号２によりＢＵＳＰＯＷＥＲ生成部で生成されるＢＵＳＰＯＷＥＲの電源をＯＦＦさせ、連結Ｉ／Ｆの外部へのＢＵＳＰＯＷＥＲ供給を停止させる。
【００１７】
次に、親機側の復帰処理について説明する。
親機側がオフモード状態中に連結動作させようと連結キーを押下すると、親機側の復帰処理が行われる。省エネＩ／Ｏ制御部からは省エネ信号１と省エネ信号２が制御され、連結Ｉ／Ｆ制御部の電源生成部とＢＵＳＰＯＷＥＲ生成部をＯＮさせ、連結Ｉ／Ｆ制御部回路を構成している電源とＢＵＳＰＯＷＥＲの電源の供給を開始し、連結Ｉ／Ｆの外部へのＢＵＳＰＯＷＥＲ供給を開始する。
子機側がオフモードに移行している画像形成装置は、親機側が省エネモードから復帰し親機側からＢＵＳＰＯＷＥＲ供給が開始されることで、子機側のＢＵＳＰＯＷＥＲ検出部でＢＵＳＰＯＷＥＲ供給開始を検出して子機側の省エネＩ／Ｏ制御部に復帰信号として出力され、子機側の復帰処理が開始される。
【００１８】
図５は、親機側と子機側のＩＥＥＥ１３９４Ｉ／Ｆ制御部の構成を示したブロック図であり、図６は、親機側と子機側のＵＳＢＩ／Ｆ制御部の構成を示したブロック図である。
次に、図９のフローチャートを参照して、親機側がオフモード時に移行する際の親機側から子機側のＢＵＳＰＯＷＥＲをＯＦＦさせる処理手順を説明する。
まず、親機側の省エネ移行処理を開始すると(ステップ４０）、ネットワークＩ／Ｆ上に子機側のマシンＩＤを発行する(ステップ４１）。そして、子機側のＢＵＳＰＯＷＥＲ遮断要求を行う(ステップ４２）。子機側のＢＵＳＰＯＷＥＲ遮断可の場合(ステップ４３；Ｙ）、子機側のＢＵＳＰＯＷＥＲを遮断する(ステップ４４）。
一方、子機側のＢＵＳＰＯＷＥＲ遮断不可の場合(ステップ４３；Ｎ）、子機側のＢＵＳＰＯＷＥＲ遮断不可通知を行う(ステップ４５）。
【００１９】
続いて、図１０のフローチャートを参照して、親機側がオフモード時に移行する際の親機側から子機側の連結Ｉ／Ｆ制御部の電源をＯＦＦさせる処理手順を説明する。
親機側の省エネ移行処理を開始すると(ステップ５０）、ネットワークＩ／Ｆ上に子機側のマシンＩＤを発行する(ステップ５１）。そして、子機側の連結Ｉ／Ｆ制御部電源遮断要求を行う(ステップ５２）。子機側の連結Ｉ／Ｆ制御部電源遮断可の場合(ステップ５３；Ｙ）、子機側の連結Ｉ／Ｆ制御部電源遮断を開始する(ステップ５４）。
一方、子機側の連結Ｉ／Ｆ制御部電源遮断不可の場合(ステップ５３；Ｎ）、子機側の連結Ｉ／Ｆ制御部電源遮断不可通知を行う(ステップ５５）。
【図面の簡単な説明】
【００２０】
【図１】本実施例に係る画像形成装置が外部機器と接続された構成を示した図である。
【図２】エンジンＯＦＦモードの電源供給状態を示したブロック図である。
【図３】オフモードの電源供給状態を示したブロック図である。
【図４】親機側と子機側の連結Ｉ／Ｆ制御部の構成を示した図である。
【図５】親機側と子機側のＩＥＥＥ１３９４Ｉ／Ｆ制御部の構成を示した図である。
【図６】親機側と子機側のＵＳＢＩ／Ｆ制御部の構成を示した図である。
【図７】親機側の処理手順を示したフローチャートである。
【図８】子機側の処理手順を示したフローチャートである。
【図９】親機側がオフモード時に移行する際の親機側から子機側のＢＵＳＰＯＷＥＲをＯＦＦさせる処理手順を示したフローチャートである。
【図１０】親機側がオフモード時に移行する際の親機側から子機側の連結Ｉ／Ｆ制御部の電源をＯＦＦさせる処理手順を示したフローチャートである。
【符号の説明】
【００２１】
１０  画像形成装置
２０  ネットワーク網
５０  エンジン制御部
６０  コントローラ制御部
６８  省エネＩ／Ｏ制御部
９０  操作部
【図１】
2010010942.tif 000003
【図２】
2010010942.tif 000004
【図３】
2010010942.tif 000005
【図４】
2010010942.tif 000006
【図５】
2010010942.tif 000007
【図６】
2010010942.tif 000008
【図７】
2010010942.tif 000009
【図８】
2010010942.tif 000010
【図９】
2010010942.tif 000011
【図１０】
2010010942.tif 000012